(57)【要約】  無線通信ネットワーク内の端末に対しサービング基地局を選択するための技術が記載される。一設計では、端末について複数の候補基地局が識別され、各候補基地局は、前記端末についてのサービング基地局としての選択のための候補である。複数の候補基地局は、異なる送信電力レベルを有する基地局を含み、および／または、干渉抑圧をサポートする。複数の候補基地局のうち１つがサービング基地局として選択される。一設計では、サービング基地局は、各候補基地局についての少なくとも１つのメトリックに基づいて選択される。少なくとも１つのメトリックは、パスロス、有効送信電力、有効ジオメトリ、予測データレート、制御チャネル信頼性、ネットワークの有用性などについてである。選択された候補基地局は、複数の候補基地局の中の最高のＳＩＮＲより低いＳＩＮＲを有する。【選択図】図５
2011511558.tif 000002
【特許請求の範囲】
【請求項１】
無線通信のための方法であって、
端末について複数の候補基地局を識別すること、各候補基地局は、前記端末についてのサービング基地局としての選択のための候補であり、前記複数の候補基地局のうち少なくとも２つは、異なる送信電力レベルを有する、および
前記端末についての前記サービング基地局として、前記複数の候補基地局の中から、１つの候補基地局を選択すること、前記選択された候補基地局は、前記複数の候補基地局の中の最高の信号対雑音および干渉比（ＳＩＮＲ）より低いＳＩＮＲを有する、
を含む方法。
【請求項２】
前記選択された候補基地局は、前記複数の候補基地局の中の最高の送信電力レベルより低い送信電力レベルを有する、請求項１の方法。
【請求項３】
前記最高のＳＩＮＲと前記低いＳＩＮＲとの間の差は、少なくとも５デシベル（ｄＢ）である、請求項１の方法。
【請求項４】
前記候補基地局を選択することは、最低のパスロスを有する候補基地局を、前記サービング基地局として選択することを含む、請求項１の方法。
【請求項５】
前記候補基地局を選択することは、
各候補基地局についての送信エネルギーメトリックを、前記候補基地局についてのパスロスに基づいて決定すること、および
最低の送信エネルギーメトリックを有する候補基地局を、前記サービング基地局として選択すること、
を含む請求項１の方法。
【請求項６】
前記送信エネルギーメトリックを決定することは、各候補基地局についての前記送信エネルギーメトリックを、さらに前記候補基地局についての干渉レベルに基づいて決定することを含む請求項５の方法。
【請求項７】
前記候補基地局を選択することは、
各候補基地局についての有効ジオメトリメトリックを、前記候補基地局についての受信信号品質に基づいて決定すること、および
最大の有効ジオメトリメトリックを有する候補基地局を、前記サービング基地局として選択すること、
を含む請求項１の方法。
【請求項８】
前記候補基地局を選択することは、
各候補基地局についての前記受信信号品質を、前記候補基地局についての搬送波対干渉比（Ｃ／Ｉ）、または前記候補基地局についての搬送波対熱（ＣｏＴ）および干渉対熱（ＩｏＴ）に基づいて決定することをさらに含む請求項７の方法。
【請求項９】
前記各候補基地局についての有効ジオメトリメトリックを決定することは、
複数のリソースセットについての各候補基地局の容量を、前記複数のリソースセットについての受信信号品質に基づいて決定すること、および
各候補基地局についての前記有効ジオメトリメトリックを、前記複数のリソースセットについての前記候補基地局の前記容量に基づいて決定すること、
を含む請求項７の方法。
【請求項１０】
前記複数のリソースセットは、複数のＨＡＲＱ(hybrid automatic retransmission)インスタンス、または、複数の周波数サブバンド、または、複数の時間間隔に対応する請求項９の方法。
【請求項１１】
前記候補基地局を選択することは、
各候補基地局についての予測データレートメトリックを、前記候補基地局についての有効ジオメトリに基づいて決定すること、および
最大の予測データレートメトリックを有する候補基地局を、前記サービング基地局として選択すること、
含む請求項１の方法。
【請求項１２】
前記各候補基地局についての予測データレートメトリックを決定することは、
各候補基地局についての少なくとも１つのリソースセットについての少なくとも１つの予測データレートを決定すること、および
各候補基地局についての前記予測データレートを、前記候補基地局についての前記少なくとも１つのリソースセットについての前記少なくとも１つの予測データレートに基づいて決定すること、
を含む請求項１１の方法。
【請求項１３】
前記少なくとも１つの予測データレートを決定することは、各リソースセットについての予測データレートを、前記リソースセットについての受信信号品質および容量関数に基づいて決定することを含む請求項１２の方法。
【請求項１４】
前記少なくとも１つのリソースセットは、少なくとも１つのＨＡＲＱ(hybrid automatic retransmission)インスタンス、または少なくとも１つの周波数サブバンド、または少なくとも１つの時間間隔に対応する請求項１２の方法。
【請求項１５】
前記複数の候補基地局は中継局を含み、
前記候補基地局を選択することは、
各候補基地局についてのメトリックを決定すること、前記中継局についての前記メトリックは、前記端末と前記中継局との間の第１のリンクについての第１のパラメータ値と、前記中継局と基地局との間の第２のリンクについての第２のパラメータ値とに基づいて決定される、および、
各候補基地局についての前記メトリックに基づいて、１つの候補基地局を選択すること、
を含む請求項１の方法。
【請求項１６】
前記候補基地局を選択することは、
各候補基地局についての有用性メトリックを、前記候補基地局によってサービスされる端末のスループットに基づいて決定すること、および
各候補基地局についての前記有用性メトリックに基づいて、１つの候補基地局を選択すること、
を含む請求項１の方法。
【請求項１７】
前記候補基地局を選択することは、各候補基地局についての制御チャネル信頼性に基づいて、１つの候補基地局を選択することを含む請求項１の方法。
【請求項１８】
前記候補基地局を選択することは、
前記端末によって行われた測定および少なくとも１つの候補基地局から受信された情報に基づいて、各候補基地局についての少なくとも１つのメトリックを、前記端末によって決定すること、および
前記サービング基地局を、各候補基地局についての前記少なくとも１つのメトリックに基づいて、前記端末によって選択すること、
を含む請求項１の方法。
【請求項１９】
前記選択された候補基地局は、前記端末についてのダウンリンクのための前記サービング基地局であり、
前記方法は、
前記端末についてのアップリンクのためのサービング基地局として、前記複数の候補基地局の中から別の候補基地局を選択すること
をさらに含む請求項１の方法。
【請求項２０】
前記複数の候補基地局は、オープンアクセス通信システムに属し、前記端末によってアクセス可能である、請求項１の方法。
【請求項２１】
前記サービング基地局は、前記端末によって選択される、請求項１の方法。
【請求項２２】
前記サービング基地局は、指定された基地局によって選択される、請求項１の方法。
【請求項２３】
前記端末から、前記複数の候補基地局を含むレポートを受信すること、
をさらに含む請求項２２の方法。
【請求項２４】
前記端末に、前記サービング基地局を示すハンドオーバメッセージを送信すること、
をさらに含む請求項２２の方法。
【請求項２５】
無線通信のための方法であって、
端末について複数の候補基地局を識別すること、各候補基地局は、前記端末についてのサービング基地局としての選択のための候補であり、および
前記端末についての前記サービング基地局として、前記複数の候補基地局の中から、１つの候補基地局を選択すること、前記選択された候補基地局は、前記複数の候補基地局の中の最高の信号対雑音および干渉比（ＳＩＮＲ）より低いＳＩＮＲを有し、前記端末は、ＳＩＮＲを向上させるために、干渉抑圧を使用して、前記選択された候補基地局と通信する、
を含む方法。
【請求項２６】
干渉抑圧は、前記選択された候補基地局を用いたシステムアクセスのために、前記端末のために使用される、請求項２５の方法。
【請求項２７】
前記複数の候補基地局について、前記複数の候補基地局によって送信された複数の低再利用パイロットに基づいて検出すること、
をさらに含む請求項２５の方法。
【請求項２８】
前記端末から、前記複数の候補基地局を含むレポートを受信すること、
をさらに含む請求項２５の方法。
【請求項２９】
前記干渉抑圧は、前記端末によって少なくとも１つの干渉基地局へ送信された、または、前記サービング基地局によって少なくとも１つの干渉端末へ送信された、干渉抑圧要求メッセージに基づいて達成される、請求項２５の方法。
【請求項３０】
前記干渉抑圧は、少なくとも２つの基地局の間で交換される干渉抑圧要求メッセージに基づいて達成される、請求項２５の方法。
【請求項３１】
前記選択された候補基地局は、前記複数の候補基地局の中の最低のパスロスを有する、請求項２５の方法。
【請求項３２】
前記選択された候補基地局は、前記複数の候補基地局の中の最高の送信電力レベルより低い送信電力レベルを有する、請求項２５の方法。
【請求項３３】
無線通信のための方法であって、
端末についての複数の候補基地局に対し、前記複数の候補基地局によって送信された複数の低再利用パイロットに基づいて検出すること、各候補基地局は、前記端末についてのサービング基地局としての選択のための候補であること、および
前記端末についての前記サービング基地局として、前記複数の候補基地局の中から、１つの候補基地局を選択すること、
を含む方法。
【請求項３４】
前記候補基地局のうちの少なくとも２つは、異なる送信電力レベルを有する、請求項３３の方法。
【請求項３５】
前記選択された候補基地局は、前記複数の候補基地局の中の最高の信号対雑音および干渉比（ＳＩＮＲ）より低いＳＩＮＲを有する、請求項３３の方法
【請求項３６】
前記端末から、前記複数の候補基地局を含むレポートを受信すること、をさらに含み、前記サービング基地局は、前記レポートに基づいて、指定された基地局によって選択される、請求項３３の方法。
【請求項３７】
無線通信のための装置であって、
端末について複数の候補基地局を識別することと、各候補基地局は、前記端末についてのサービング基地局としての選択のための候補であり、前記複数の候補基地局のうち少なくとも２つは、異なる送信電力レベルを有する、
前記端末についての前記サービング基地局として、前記複数の候補基地局の中から、１つの候補基地局を選択することと、前記選択された候補基地局は、前記複数の候補基地局の中の最高の信号対雑音および干渉比（ＳＩＮＲ）より低いＳＩＮＲを有する
を行う少なくとも１つのプロセッサを備える装置。
【請求項３８】
前記少なくとも１つのプロセッサは、最低のパスロスを有する候補基地局を、前記サービング基地局として選択する請求項３７の装置。
【請求項３９】
前記少なくとも１つのプロセッサは、
各候補基地局についての送信エネルギーメトリックを、前記候補基地局についてのパスロスに基づいて決定し、および、
最低の送信エネルギーメトリックを有する候補基地局を、前記サービング基地局として選択する、
請求項３７の装置。
【請求項４０】
前記少なくとも１つのプロセッサは、
各候補基地局についての有効ジオメトリメトリックを、前記候補基地局についての受信信号品質に基づいて決定し、および、
最大の有効ジオメトリメトリックを有する候補基地局を、前記サービング基地局として選択する、
請求項３７の装置。
【請求項４１】
前記少なくとも１つのプロセッサは、各候補基地局についての予測データレートメトリックを、前記候補基地局についての有効ジオメトリに基づいて決定し、および、
最大の予測データレートメトリックを有する候補基地局を、前記サービング基地局として選択する、
請求項３７の装置。
【請求項４２】
無線通信のための装置であって、
端末について複数の候補基地局を識別する手段、各候補基地局は、前記端末についてのサービング基地局としての選択のための候補であり、前記複数の候補基地局のうち少なくとも２つは、異なる送信電力レベルを有する手段、および
前記端末についての前記サービング基地局として、前記複数の候補基地局の中から、１つの候補基地局を選択する手段、前記選択された候補基地局は、前記複数の候補基地局の中の最高の信号対雑音および干渉比（ＳＩＮＲ）より低いＳＩＮＲを有する、
を備える装置。
【請求項４３】
前記候補基地局を選択する手段は、
最低のパスロスを有する候補基地局を、前記サービング基地局として選択する手段を含む請求項４２の装置。
【請求項４４】
前記候補基地局を選択する手段は、
各候補基地局についての送信エネルギーメトリックを、前記候補基地局についてのパスロスに基づいて決定する手段、および
最低の送信エネルギーメトリックを有する候補基地局を、前記サービング基地局として選択する手段、
を含む請求項４２の装置。
【請求項４５】
前記候補基地局を選択する手段は、
各候補基地局についての有効ジオメトリメトリックを、前記候補基地局についての受信信号品質に基づいて決定する手段、および
最大の有効ジオメトリメトリックを有する候補基地局を、前記サービング基地局として選択する手段、
を含む請求項４２の装置。
【請求項４６】
前記候補基地局を選択する手段は、
各候補基地局についての予測データレートメトリックを、前記候補基地局についての有効ジオメトリに基づいて決定する手段、および
最大の予測データレートメトリックを有する候補基地局を、前記サービング基地局として選択する手段、
を含む請求項４２の装置。
【請求項４７】
コンピュータ可読媒体を備えるコンピュータプログラム製品であって、
前記コンピュータ可読媒体は、
少なくとも１つのコンピュータに、端末についての複数の候補基地局を識別させるコード、各候補基地局は、前記端末についてのサービング基地局としての選択のための候補であり、前記複数の候補基地局のうち少なくとも２つは、異なる送信電力レベルを有する、および
前記少なくとも１つのコンピュータに、前記端末についての前記サービング基地局として、前記複数の候補基地局の中から、１つの候補基地局を選択させるコード、前記選択された候補基地局は、前記複数の候補基地局の中の最高の信号対雑音および干渉比（ＳＩＮＲ）より低いＳＩＮＲを有する、
を含むコンピュータプログラム製品。
【請求項４８】
無線通信のための方法であって、
端末について複数の候補基地局を識別すること、各候補基地局は、前記端末についてのサービング基地局としての選択のための候補である、
各候補基地局についての第１のメトリックを決定すること、前記第１のメトリックは、前記候補基地局が前記サービング基地局として選択可能であるかどうかを決定するための制約として使用される、
各候補基地局についての第２のメトリックを決定すること、前記第２のメトリックは、前記サービング基地局としての選択のために最も適切な候補基地局を識別するための変数として使用される、および
各候補基地局についての前記第１および第２のメトリックに基づいて、前記複数の候補基地局のうち１つを、前記端末についての前記サービング基地局として選択すること、前記選択された候補基地局は、前記複数の候補基地局の中の最高の信号対雑音および干渉比（ＳＩＮＲ）より低いＳＩＮＲを有する、
を含む方法。
【請求項４９】
各候補基地局についての前記第２のメトリックを決定することは、
各候補基地局についての前記第２のメトリックを、前記候補基地局についてのパスロス、有効送信電力、有効ジオメトリ、および予測データレートのうちの少なくとも１つに基づいて決定すること、
を含む請求項４８の方法。
【請求項５０】
前記複数の候補基地局のうち１つを選択することは、候補基地局が選択可能であるかどうかを、前記候補基地局についての前記第１のメトリックおよび予め定められたしきい値に基づいて決定すること、
を含む請求項４８の方法。
【請求項５１】
無線通信のための装置であって、
端末についての複数の候補基地局を識別すること、各候補基地局は、前記端末についてのサービング基地局としての選択のための候補である、
各候補基地局についての第１のメトリックを決定すること、前記第１のメトリックは、前記候補基地局が前記サービング基地局として選択可能であるかどうかを決定するための制約として使用される、
各候補基地局についての第２のメトリックを決定すること、前記第２のメトリックは、前記サービング基地局としての選択のために最も適切な候補基地局を識別するための変数として使用される、および、
各候補基地局についての前記第１および第２のメトリックに基づいて、前記複数の候補基地局のうち１つを、前記端末についての前記サービング基地局として選択すること、前記選択された候補基地局は、前記複数の候補基地局の中の最高の信号対雑音および干渉比（ＳＩＮＲ）より低いＳＩＮＲを有する、
を行う少なくとも１つのプロセッサを備える装置。
【請求項５２】
前記少なくとも１つのプロセッサは、各候補基地局についての前記第２のメトリックを、前記候補基地局についてのパスロス、有効送信電力、有効ジオメトリ、および予測データレートのうちの少なくとも１つに基づいて決定する、請求項５１の装置。
【請求項５３】
前記少なくとも１つのプロセッサは、候補基地局が選択可能であるかどうかを、前記候補基地局についての前記第１のメトリックおよび予め定められたしきい値に基づいて、決定する、請求項５１の装置。
【発明の詳細な説明】
【優先権の主張】
【０００１】
本出願は、本譲受人に譲渡され、参照により本明細書に組み込まれている、２００８年２月１日に出願した「ＭＥＴＨＯＤ  ＡＮＤ  ＡＰＰＡＲＡＴＵＳ  ＦＯＲ  ＳＥＲＶＥＲ  ＳＥＬＥＣＴＩＯＮ  ＩＮ  Ａ  ＣＯＭＭＵＮＩＣＡＴＩＯＮ  ＮＥＴＷＯＲＫ」という名称の米国仮特許出願第６１／０２５，６４５号の優先権を主張するものである。
【技術分野】
【０００２】
本開示は、一般に通信に関し、より詳細には、無線通信ネットワーク内の端末に対しサービング基地局を選択するための技術に関する。
【背景技術】
【０００３】
無線通信ネットワークは、音声、ビデオ、パケットデータ、メッセージング、ブロードキャスト、その他など、様々な通信コンテンツを提供するために、広く配置されている。これらの無線ネットワークは、使用可能なネットワークリソースを共有することによって、複数のユーザをサポートすることが可能な、多元接続ネットワークである場合がある。このような多元接続ネットワークの例には、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、および、シングルキャリアＦＤＭＡ（ＳＣ−ＦＤＭＡ）ネットワークが含まれる。
【０００４】
無線通信ネットワークは、いくつかの端末のための通信をサポートすることができる、いくつかの基地局を含む場合がある。端末は、いかなる所与の瞬間にも、ゼロまたは１つ以上の基地局のカバレッジ内にある場合がある。２つ以上の基地局が使用可能である場合、ネットワーク容量を改善しながら、端末のために良好な性能を達成することができるように、端末にサービスするための適切な基地局を選択することが望ましい。
【発明の概要】
【０００５】
無線通信ネットワーク内の端末に対しサービング基地局を選択するための技術が、ここに説明される。一側面において、端末のためのサービング基地局として、別の基地局のより低い信号対雑音および干渉比（signal-to-noise-and-interference ratio）（ＳＩＮＲ）を有する基地局であっても選択される。このサービング基地局選択方式は、ある利点、たとえば、ネットワーク内で低減された干渉を提供する。
【０００６】
ある設計では、１つの端末に対し複数の候補基地局が識別される。各候補基地局は、該端末のためのサービング基地局としての選択のための候補である。複数の候補基地局は、オープンアクセス通信システムに属し、サービスサブスクリプションをもついかなる端末によってもアクセス可能である。複数の候補基地局は、異なる送信電力レベルを有する基地局を含み、および／または、干渉抑圧をサポートする。いずれの場合も、複数の候補基地局のうち１つが、端末のためのサービング基地局として選択される。ある設計では、サービング基地局は、各候補基地局についての少なくとも１つのメトリックに基づいて選択される。少なくとも１つのメトリックは、パスロス（pathloss）、有効送信電力（effective transmit power）、有効ジオメトリ（effective geometry）、予測データレート（projected data rate）、制御チャネル信頼性、ネットワーク有用性などについてのものである。選択された候補基地局は、複数の候補基地局の中の最高のＳＩＮＲより低いＳＩＮＲを有する。
【０００７】
本開示の様々な態様および特徴が、以下でさらに詳細に記載される。
【図面の簡単な説明】
【０００８】
【図１】無線通信ネットワークを示す図。
【図２】ＨＡＲＱ(hybrid automatic retransmission)によるデータ伝送を示す図。
【図３】リレーを有する無線通信ネットワークを示す図。
【図４】リレーをサポートするフレーム構造を示す図。
【図５】サービング基地局を選択するための処理を示す図。
【図６】サービング基地局を選択するための装置を示す図。
【図７】異なるタイプのメトリックによりサービング基地局を選択するための処理を示す図。
【図８】異なるタイプのメトリックによりサービング基地局を選択するための装置を示す図。
【図９】端末および基地局のブロック図。
【発明を実施するための形態】
【０００９】
ここに記載の技術は、ＣＤＭＡ、ＴＤＭＡ、ＦＤＭＡ、ＯＦＤＭＡ、ＳＣ−ＦＤＭＡおよび他のネットワークなど、様々な無線通信ネットワークのために使用される。「ネットワーク」および「システム」という用語は、しばしば入れ替え可能に使用される。ＣＤＭＡネットワークは、ユニバーサル地上無線アクセス（ＵＴＲＡ：Universal Terrestrial Radio Access）、ｃｄｍａ２０００、その他などの無線技術を実装する。ＵＴＲＡには、広帯域ＣＤＭＡ（ＷＣＤＭＡ）、および、ＣＤＭＡの他の変形が含まれる。ｃｄｍａ２０００は、ＩＳ−２０００、ＩＳ−９５およびＩＳ−８５６標準をカバーする。ＴＤＭＡネットワークは、ＧＳＭ（Global System for Mobile Communications）などの無線技術を実装する。ＯＦＤＭＡネットワークは、進化型ＵＴＲＡ（Evolved UTRA）（Ｅ−ＵＴＲＡ）、ウルトラモバイルブロードバンド（ＵＭＢ）、ＩＥＥＥ  ８０２．１１（Ｗｉ−Ｆｉ）、ＩＥＥＥ８０２．１６（ＷｉＭＡＸ）、ＩＥＥＥ  ８０２．２０、Ｆｌａｓｈ−ＯＦＤＭ（登録商標）、その他などの無線技術を実装する。ＵＴＲＡおよびＥ−ＵＴＲＡは、ＵＭＴＳ（Universal Mobile Telecommunication System）の一部である。３ＧＰＰロングタームエボリューション（ＬＴＥ）は、ダウンリンク上でＯＦＤＭＡを、かつ、アップリンク上でＳＣ−ＦＤＭＡを採用する、Ｅ−ＵＴＲＡを使用するＵＭＴＳのやがて公開されるリリースである。ＵＴＲＡ、Ｅ−ＵＴＲＡ、ＵＭＴＳ、ＬＴＥおよびＧＳＭは、「第３世代パートナーシッププロジェクト（3rd Generation Partnership Project）」（３ＧＰＰ）という名称の組織による文書に記載されている。ｃｄｍａ２０００およびＵＭＢは、「第３世代パートナーシッププロジェクト２（3rd Generation Partnership Project 2）」（３ＧＰＰ２）という名称の組織による文書に記載されている。
【００１０】
図１は、いくつかの基地局および他のネットワークエンティティを含む無線通信ネットワーク１００を示す。簡単にするために、図１は、ただ２つの基地局１２０および１２２、ならびに、１つのネットワークコントローラ１５０のみを示す。基地局は、端末と通信する固定局であり、アクセスポイント、ノードＢ、進化型ノードＢ（evolved Node B）（ｅＮＢ）などと呼ばれる。基地局は、特定の地域のための通信カバレッジを提供する。基地局のカバレッジエリア全体は、より小さいエリアに分割され、小エリアの各々は、各基地局サブシステムによってサービスされる場合がある。「セル」という用語は、その用語が使用される文脈に応じて、基地局のカバレッジエリア、および／または、このカバレッジエリアにサービスする基地局サブシステムを指す。
【００１１】
基地局は、マクロセル、ピコセル、フェムトセル、または、ある他のタイプのセルのための通信カバレッジを提供する。マクロセルは、比較的広い地域（たとえば、半径数キロメートル）をカバーし、無線ネットワーク内でサービスサブスクリプションを有するすべての端末に対し通信をサポートする。ピコセルは、比較的狭い地域をカバーし、サービスサブスクリプションを有するすべての端末に対し通信をサポートする。フェムトセルは、比較的狭い地域（たとえば、家）をカバーし、フェムトセルとの関連を有する端末（たとえば、家の居住者に属する端末）のセットに対し通信をサポートする。マクロセルのための基地局は、マクロ基地局と呼ばれる場合がある。ピコセルのための基地局は、ピコ基地局と呼ばれる。フェムトセルのための基地局は、フェムト基地局またはホーム基地局と呼ばれる。
【００１２】
ネットワークコントローラ１５０は、基地局のセットに結合し、これらの基地局のための調整および制御を提供する。ネットワークコントローラ１５０は、バックホールを介して、基地局１２０および１２２と通信する。基地局１２０および１２２はまた、たとえば、無線または有線インターフェースを介して、直接的または間接的に、互いに通信する。
【００１３】
端末１１０は、無線ネットワーク１００によってサポートされた多数の端末の１つである。端末１１０は、静止しているか、または移動体である場合があり、アクセス端末（ＡＴ）、移動局（ＭＳ）、ユーザ装置（ＵＥ）、加入者ユニット、局などと呼ばれる。端末１１０は、携帯電話、携帯情報端末（ＰＤＡ）、無線モデム、無線通信デバイス、ハンドヘルドデバイス、ラップトップコンピュータ、コードレス電話、無線ローカルループ（ＷＬＬ）局などである。端末１１０は、ダウンリンクおよびアップリンクを介して、基地局と通信する。ダウンリンク（または、順方向リンク）は、基地局から端末への通信リンクを指し、アップリンク（または、逆方向リンク）は、端末から基地局への通信リンクを指す。
【００１４】
無線ネットワーク１００は、データ伝送の信頼性を向上させるために、ＨＡＲＱをサポートする。ＨＡＲＱでは、送信機は、データの伝送を送信し、必要があれば、データが受信機によって正しく復号されるか、または、最大数の伝送が送信されているか、または、ある他の終了条件に遭遇するまで、１つまたは複数の追加の伝送を送信する。
【００１５】
図２は、ＨＡＲＱによるダウンリンク上の一実施例のデータ伝送を示す。伝送タイムラインは、フレーム単位に分割される。各フレームは、所定の持続時間、たとえば、１ミリ秒（ｍｓ）を含む。フレームはまた、サブフレーム、スロットなどと呼ばれる。
【００１６】
基地局１２０は、端末１１０へ送信するためのデータを有する場合がある。基地局１２０は、データパケットを処理し、ダウンリンク上でパケットの伝送を送信する場合がある。端末１１０は、ダウンリンク伝送を受信し、受信された伝送を復号する場合がある。端末１１０は、パケットが正しく復号される場合、肯定応答（ＡＣＫ）を送信し、または、パケットが誤って復号される場合、否定応答（ＮＡＫ）を送信する。基地局１２０は、ＡＣＫ／ＮＡＫフィードバックを受信し、ＮＡＫが受信される場合、パケットの別の伝送を送信し、ＡＣＫが受信される場合、新しいパケットの伝送を送信するか、または、終了する。パケットの伝送およびＡＣＫ／ＮＡＫフィードバックは、類似の方法で継続する。
【００１７】
０からＭ−１のインデックスを有するＭ個のＨＡＲＱインタレースが、ダウンリンクおよびアップリンクの各々について定義される。ただし、Ｍは、４、６、８、または、ある他の値に等しい。各ＨＡＲＱインタレースは、Ｍフレーム分だけ離れた間隔があけられる、複数のフレームを含む。１パケットは、１つのＨＡＲＱインタレース上で送信され、パケットの伝送の全ては、同じＨＡＲＱインタレースの異なるフレーム内で送信される。パケットの各伝送は、ＨＡＲＱ伝送と呼ばれる。
【００１８】
無線ネットワーク１００は、異なるタイプの基地局、たとえば、マクロ基地局、ピコ基地局、ホーム基地局などを有する、異種ネットワークである。これらの異なるタイプの基地局は、異なる電力レベルで伝送し、異なるカバレッジエリアを有し、無線ネットワーク内の干渉に対する異なる影響を有する。無線ネットワーク１００はまた、中継局をサポートする。中継局は、上流局から端末のためのデータの伝送を受信し、データの伝送を下流局へ送信する局である。
【００１９】
端末１１０は、複数の基地局のカバレッジ内にある。これらの複数の基地局のうちの１つが、端末１１０にサービスするために選択される。サービング基地局の選択は、サーバ選択と呼ばれる。最良の受信信号品質を有する基地局は、サービング基地局として選択される。受信信号品質は、信号対雑音および干渉比（ＳＩＮＲ）、ＳＮ比（ＳＮＲ）、搬送波対干渉比（carrier-to-interference ratio）（Ｃ／Ｉ）などによって、定量化される。ＳＩＮＲおよびＣ／Ｉは、以下の説明のほとんどにおいて、受信信号品質を示すために使用される。最良のダウンリンクＳＩＮＲを有する基地局をサービング基地局として選択することは、以下の欠点を有する。
【００２０】
・マクロ、ピコおよび／またはホーム基地局の混合が存在するとき、効率的ではないこと、
・選択された基地局が、制限された関連を有するホーム基地局であり、端末１１０が、制限されたセットの一部ではない場合、可能ではないこと、
・中継局があると、効率的ではないこと。
【００２１】
一態様では、サービング基地局は、１つまたは複数のメトリックに基づいて選択される。一般に、メトリックは、測定または特定され得る１つまたは複数のパラメータに基づいて定義される。いくつかのメトリックは、制約としての機能を果たすが、他のものは、最適化変数としての機能を果たす。制約は、所与の候補基地局がサービング基地局として選択されることが可能かどうかを決定するために、使用される。制約は、メトリックが所定のしきい値を上回るか、または下回ることを必要とすることによって、定義される。しきい値は、基地局の容量に基づいて設定され、または、基地局のセットにおける最小または最大値に関連する。最適化変数は、選択のために最も適切な基地局を決定するために使用される。たとえば、最良のメトリックを有する候補基地局が選択される。ただし、「最良」は、どのようにメトリックが定義されるかによって決まり、最高または最低値を指す。選択された候補基地局は、別の候補基地局のものより低いＳＩＮＲを有する場合がある。このサービング基地局選択方式は、ある利点、たとえば、ネットワーク内で低減された干渉を提供する。
【００２２】
サービング基地局は、さらに１つまたは複数の条件に基づいて選択される。条件は、適切な基地局が選択されることを保証するために使用される。たとえば、ホーム基地局は、端末１１０がホーム基地局にアクセスすることができるという条件を満たす場合にのみ、選択される。別の実施例として、基地局は、端末１１０のＱｏＳトラヒックについての最低サービス品質（ＱｏＳ）保証を提供することができる場合にのみ、選択される。
【００２３】
ある設計では、サービング基地局を選択するために、以下のメトリックが使用される。
【００２４】
・送信エネルギーメトリック−送信エネルギーを示す、
・パスロス−基地局と端末の間のチャネル利得を示す、
・有効ジオメトリ−受信信号品質を示す、
・予測データレート−端末のためにサポート可能なデータレートを示す、および
・制御チャネル信頼性−制御チャネルの信頼性を示す。
【００２５】
各メトリックは、以下で詳細に説明される。他のメトリックもまた、サーバ選択のために使用される。
【００２６】
上で与えられたメトリックのいかなる組み合わせも、ダウンリンクおよび／またはアップリンクのためのサービング基地局を選択するために使用される。ある設計では、単一の基地局が、ダウンリンクとアップリンクの両方において端末１１０にサービスするために選択される。この設計では、ダウンリンクのための最良の基地局が、アップリンクのための最良の基地局と異なる場合、ダウンリンクおよびアップリンクのための最良の基地局から遠くないサービング基地局を選択することが望ましい。別の設計では、ある基地局が、ダウンリンク上で端末１１０にサービスするために選択され、別の基地局が、アップリンク上で端末１１０にサービスするために選択される。この設計では、各リンクのためのサービング基地局が、メトリックのいずれかに基づいて選択される。
【００２７】
送信エネルギーメトリックは、加法性白色ガウス雑音（ＡＷＧＮ：additive white Gaussian noise）チャネル、ならびに、単一の送信アンテナおよび単一の受信アンテナを有する１×１アンテナ構成について、以下のように決定される。送信アンテナ出力でのエネルギー、および、受信アンテナ出力でのエネルギーは、以下のように表わされる。
【数１】
2011511558.tif 000003
【００２８】
ただし、ｈは、送信アンテナ出力から受信アンテナ出力までのチャネル利得であり
Ｅb,txは、送信アンテナ出力でのビット当たりのエネルギーであり、
Ｅb,rxは、受信アンテナ出力でのビット当たりのエネルギーであり、
Ｅs,rxは、受信アンテナ出力でのシンボル当たりのエネルギーであり、
ｒは、ビット／秒／ヘルツ（ｂｐｓ／Ｈｚ）におけるスペクトル効率であり、
Ｃは、受信信号電力であり、
Ｉは、受信干渉電力である。
【００２９】
式（１）は、ＡＷＧＮチャネルおよび１×１アンテナ構成についての送信エネルギーメトリックを示す。送信エネルギーメトリックはまた、フェージングチャネルおよび異なるアンテナ構成について決定される。
【００３０】
ダウンリンクでは、送信アンテナ出力は基地局におけるものであり、受信アンテナ出力は端末１１０におけるものである。アップリンクでは、送信アンテナ出力は端末１１０におけるものであり、受信アンテナ出力は基地局におけるものである。Ｃは、所望の信号の受信電力である。Ｉは、所望の信号に対する、受信された干渉の電力および熱雑音である。ＣおよびＩは、Ｐrx＝Ｃ＋Ｉとして与えられ、合計の受信電力Ｐrxの異なる成分である場合がある。
【数２】
2011511558.tif 000004
【００３１】
の近似が、線形領域で使用される場合がある。式（１）は次いで、以下のように表わされる。
【数３】
2011511558.tif 000005
【００３２】
ただし、Ｅs,rx＝Ｃ／Ｓであり、Ｓはシンボルレートであり、ｐ＝１／ｈはパスロスである。
【００３３】
式（２）に示すように、送信エネルギーメトリックＥb,txは、干渉Ｉおよびパスロスｐに比例し、チャネル利得ｈおよびシンボルレートＳに反比例する。式（２）は、ダウンリンク、Ｅb,tx,DLについての送信エネルギーメトリック、ならびに、アップリンク、Ｅb,tx,ULについての送信エネルギーメトリックを計算するために使用される。ダウンリンクについてのパスロスは、基地局によって送信されたパイロットに基づいて推定される。アップリンクについてのパスロスは、ダウンリンクについてのパスロスに等しいと仮定される。アップリンクにおける干渉は、ダウンリンクにおける干渉とは異なる。ダウンリンクにおける干渉は、端末１１０によって測定され、Ｅb,tx,DLを計算するために使用される。各候補基地局でのアップリンクにおける干渉は、Ｅb,tx,ULを計算するために使用される。各基地局は、Ｅb,tx,ULを計算するために使用される、その基地局によって観測された干渉をブロードキャストする。ダウンリンクおよびアップリンクの両方について、干渉は、その送信エネルギーメトリックが計算されている基地局によって決まる。さらに、干渉は、異なるＨＡＲＱインタレースについて異なる。この場合、送信エネルギーメトリックは、候補基地局が端末１１０のためのデータ伝送をスケジュールする可能性のある、各アクティブＨＡＲＱインタレースについて、推定される。
【００３４】
図１に示す実施例では、基地局１２０または１２２が、端末１１０のためのサービング基地局として選択される。基地局１２０および１２２は、ダウンリンク上で互いに干渉する。Ｅb,tx,DLは、以下のように計算される場合がある。
【００３５】
・干渉抑圧が、ダウンリンクについて基地局１２０および１２２の間で行われる場合、基地局１２０または１２２についてのＥb,tx,DLの計算に使用するための干渉Ｉは、環境雑音および他の基地局からの干渉の和となる。この条件はしばしば、最低のパスロスを有する基地局の選択につながる。
【００３６】
・干渉抑圧が、ダウンリンクについて基地局１２０および１２２の間で行われない場合、基地局１２０についてのＥb,tx,DLの計算に使用するための干渉Ｉは、環境雑音、および、基地局１２２ならびに他の基地局からの干渉の和となる。同様に、基地局１２２についてのＥb,tx,DLの計算に使用するための干渉Ｉは、基地局１２０からの干渉を含むようになる。
【００３７】
Ｅb,tx,ULはまた、干渉抑圧がアップリンク上で行われるかどうかを考慮に入れることによって、計算される。
【００３８】
ある設計では、ダウンリンク上の干渉を低減するために、最低のＥb,tx,DLを有する基地局が選択される。最低のＥb,tx,ULを有する基地局は、アップリンク上の干渉を低減するために選択される。Ｅb,txは、式（２）に示すように、パスロスに比例する。最低のパスロスを有する基地局は、干渉を低減し、かつ、ネットワーク容量を向上させるために、選択される。この基地局は、そのダウンリンクＳＩＮＲが弱くなる場合でさえ選択され得、たとえば、ダウンリンク上で制限された温度ではないという制約を受ける場合でも選択され得る。（ＳＩＮＲまたはＣ／Ｉの代わりに）Ｅb,txの使用は、サービング端末１１０においてより効率的である、少ないパスロスを有する低電力の基地局の選択に都合がよい。
【００３９】
有効ジオメトリは、以下のように決定される。基地局についての公称ジオメトリ（nominal geometry）は、以下のように表わされる。
【数４】
2011511558.tif 000006
【００４０】
ただし、Ｃavg,kは、基地局ｋについての平均受信信号電力であり、
Ｉavg,kは、基地局ｋについての平均受信干渉電力であり、
Ｇnom,kは、基地局ｋについての公称ジオメトリである。
【００４１】
ダウンリンクについての有効ジオメトリは、以下のように表わされる。
【数５】
2011511558.tif 000007
【００４２】
ただし、Ｉm,kは、ＨＡＲＱインタレースｍにおける基地局ｋについての受信干渉電力であり、
Ｆkは、基地局ｋによって割り振られたリソースの典型的な割合であり、
ＧDL,eff,kは、基地局ｋについての有効ダウンリンクジオメトリである。
【００４３】
Ｆkは、典型的な端末に対して、基地局ｋによって割り振られる可能性のある、リソースの割合である。Ｆkは、０と１の間の値（すなわち、０≦Ｆk≦１）であ、基地局ｋによってブロードキャストされるか、または、端末１１０によって知られている。たとえば、Ｆk、ホーム基地局については１に等しく、マクロ基地局については１未満の値である。Ｆkはまた、セル内の端末の数に基づく。Ｆkはまた、各端末について個別に設定される場合もあり、たとえば、シグナリングを介して、端末に通信される場合がある。
【００４４】
式（４）は、容量関数ｌｏｇ（１＋Ｃ／Ｉ）を使用して、各ＨＡＲＱインタレースについてのジオメトリＣavg,k／Ｉm,kを容量に変換する。平均ダウンリンク容量を得るために、すべてのＭ個のＨＡＲＱインタレースの容量が合計され、Ｍで除算される。有効ダウンリンクジオメトリは次いで、平均ダウンリンク容量、および、割り当てられる可能性のあるリソースの典型的な量に基づいて計算される。式（４）は、すべてのＭ個のＨＡＲＱインタレースが端末１１０のために使用されると仮定する。この合計はまた、Ｍ個のＨＡＲＱインタレースのサブセット全体に渡って行われる。
【００４５】
アップリンクについての有効ジオメトリは、以下のように表わされる。
【数６】
2011511558.tif 000008
【００４６】
ただし、ＩｏＴm,kは、ＨＡＲＱインタレースｍにおける基地局ｋについての干渉対熱（interference-over-thermal）であり、
ｐＣｏＴkは、基地局ｋでのアップリンクパイロットについての搬送波対熱（carrier-over-thermal）であり、
Ｄは、パイロットＰＳＤに対する期待データパワースペクトル密度（ＰＳＤ:expected data power spectral density）であり、
ＧUL,eff,kは、基地局ｋについての有効アップリンクジオメトリである。
【００４７】
ＩｏＴm,kは、基地局ｋによってブロードキャストされるか、または、ダウンリンクパイロット測定に基づいて、端末１１０によって推定される。基地局ｋでの端末１１０についてのｐＣｏＴkは、アップリンクのための所望の性能を達成するために、電力制御機構により調節される。Ｄは、基地局ｋでの端末１１０についての期待データＰＳＤおよびアップリンクパイロットＰＳＤに基づいて決定される。Ｄはまた、基地局ｋによって（たとえば、レイヤ１またはレイヤ３シグナリングを介して）割り当てられ、または、分散電力制御アルゴリズムを実行中の端末１１０によって決定される。Ｄはまた、端末１１０の電力増幅器（ＰＡ）ヘッドルーム、使用されている干渉抑圧方式などによっても決まる。データ、ＣｏＴkについての搬送波対熱は、ＣｏＴk＝Ｄ・ｐＣｏＴkとして与えられ得る。
【００４８】
式（５）は、容量関数を使用して、各ＨＡＲＱインタレースについてのジオメトリを容量に変換する。式（５）は次いで、すべてのＭ個のＨＡＲＱインタレースの容量を平均し、平均アップリンク容量に基づいて、有効アップリンクジオメトリを計算する。
【００４９】
式（４）および（５）は、それぞれ、ダウンリンクおよびアップリンク上での無線の伝送についての、有効ダウンリンクおよびアップリンクジオメトリを提供する。基地局は、ネットワークエンティティへ、バックホールを介して、データを送信する。有効ダウンリンクおよびアップリンクジオメトリは、以下のようにバックホールの帯域幅を考慮に入れて計算される。
【数７】
2011511558.tif 000009
【００５０】
ただし、Ｂkは、基地局ｋについての正規化されたバックホール帯域幅であり、ｂｐｓ／Ｈｚの単位で与えられる。
【００５１】
各候補基地局についての予測データレートは、以下のように有効ジオメトリに基づいて決定される。
【数８】
2011511558.tif 000010
【００５２】
ただし、Ｗkは、基地局ｋについての使用可能な帯域幅であり、
ＲDL,kは、基地局ｋについてのダウンリンクについての予測データレートであり、
ＲUL,kは、基地局ｋについてのアップリンクについての予測データレートである。
【００５３】
Ｗkは、基地局ｋについての全体のシステム帯域幅である場合がある。代替として、Ｗｋは、システム帯域幅の割合であってもよく、基地局ｋによってブロードキャストされてもよい。予測データレートはまた、他の方法で、たとえば、有効ジオメトリ以外のパラメータを使用して決定されてもよい。
【００５４】
端末１１０は、式（２）に基づいて、各候補基地局についてのダウンリンクおよびアップリンク送信エネルギーメトリックＥb,tx,DLおよびＥb,tx,ULを決定する。端末１１０はまた、各候補基地局についての有効ダウンリンクおよびアップリンクジオメトリ
ＧDL,eff,kおよびＧUL,eff,k、および／または、ダウンリンクおよびアップリンク予測データレートＲDL,kおよびＲUL,kを決定する。送信エネルギーメトリック、有効ジオメトリおよび予測データレートを決定するために使用される様々なパラメータは、端末１１０によって測定されるか、候補基地局によってブロードキャストされるか、または他の方法で取得される。
【００５５】
マクロ基地局は、ピコまたはホーム基地局の有効ダウンリンクジオメトリを向上させるために、端末によってレポートされた情報に基づいて、あるＨＡＲＱインタレースを予約する。これにより、たとえば、送信エネルギーメトリックに基づいて、マクロ基地局を介したピコまたはホーム基地局の選択という結果となる。
【００５６】
各候補基地局についてのメトリックは、上述のように、その基地局についてのパラメータに基づいて決定される。これは、基地局が他のネットワークエンティティと、バックホールを介して通信することができる、非リレー配置を仮定する。リレー配置では、データは、バックホールに達する前に、１つまたは複数の中継局を介して転送される。メトリックは、中継局の容量を考慮に入れることによって、決定される。
【００５７】
図３は、リレーを有する無線通信ネットワーク１０２を示す。簡単にするために、図３は、１つの基地局１３０および１つの中継局１３２のみを示す。端末１１０は、直接アクセスリンク１４０を介して、基地局１３０と直接通信する。基地局１３０は、有線バックホール１４６を介して、ネットワークコントローラ１５０と通信する。代替として、端末１１０は、中継アクセスリンク１４２を介して、中継局１３２と通信する。中継局１３２は、中継バックホールリンク１４４を介して、基地局１３０と通信する。
【００５８】
図４は、ネットワーク１０２のために使用されるフレーム構造４００を示す。各フレームは、複数のスロット１からＳに分割される。図４に示す実施例では、各フレームのスロット１は、中継バックホールリンク１４４のために使用される。各フレームの残りのスロット２からＳは、直接アクセスリンク１４０および中継アクセスリンク１４２のために使用される。一般に、各リンクについて、いかなる数のスロットが使用されてもよい。
【００５９】
図３に戻り、端末１１０は、基地局１３０への直接アクセスリンク１４０についての予測データレートＲd、および、中継局１３２への中継アクセスリンク１４２についての予測データレートＲaを有する。中継局１３２は、基地局１３０への中継バックホールリンク１４４についてのデータレートＲbを有する。ＲaおよびＲbは、スペクトル効率によって与えられ、中継局１３２についてのＲrは、次いで、以下のように表わされる。
【数９】
2011511558.tif 000011
【００６０】
式（１０）は、サービスされている端末がただ１つであること、および、中継アクセスリンク１４２と中継バックホールリンク１４４との間の分割は、最適な方法で行われることを仮定する。中継アクセスリンク１４２と中継バックホールリンク１４４の間の分割が予め決定されている（たとえば、ある基準に基づいて、基地局１３０によって設定される）場合、リレーアクセスおよびバックホールリンクについてのデータレートが（スペクトル効率の代わりに）計算される。予測データレートＲrは次いで、Ｒr＝ｍｉｎ（Ｒa，Ｒb）として与えられ、直接アクセスリンク１４０についてのデータレートＲdと比較される。複数の中継局があるとき、Ｒaの寄与は、中継アクセスリンク１４２を介した空間分割多元接続（ＳＤＭＡ）を反映するように基準化される。たとえば、同時に送信中のＮ個の中継局がある場合、Ｎ＊Ｒaが使用される。いずれの場合も、式（１０）に示すように、中継アクセスリンク１４２および中継バックホールリンク１４４は共に、中継局１３２についての予測データレートの計算において、考慮される。中継局１３２についての送信エネルギーメトリックＥb,txはまた、中継アクセスリンク１４２についてのＥb,txおよび中継バックホールリンク１４４についてのＥb,txの和として計算される。
【００６１】
ダウンリンクおよびアップリンク送信エネルギーメトリック、有効ダウンリンクおよびアップリンクジオメトリ、予測ダウンリンクおよびアップリンクデータレート、および／または、他のメトリックは、各候補基地局について決定される。これらのメトリックは、様々な方法で、サーバ選択のために使用される。いくつかの設計では、これらのメトリックは、サービング基地局を選択するために直接使用される。たとえば、ある設計では、端末１１０についての最高のデータレートを得るために、最高のＲDL,kおよび／または最高のＲUL,kを有する基地局が選択される。別の設計では、それぞれ、ダウンリンクおよびアップリンク上で最小の干渉を得るために、最低のＥb,tx,DLおよび／または最低のＥb,tx,ULを有する基地局が選択される。
【００６２】
他の設計では、関数に基づいて、複数のメトリックが組み合わせられて、全体メトリックを得る。その後、最良の全体メトリックを有する基地局が選択される。ある設計では、所定のしきい値を下回るＥb,tx,DLおよび／またはＥb,tx,ULを有するすべての基地局の中で、最高のＲDL,kおよび／またはＲUL,kを有する基地局が選択される。この設計は、目標レベルを下回る干渉を維持しながら、端末１１０について最高のデータレートを提供する。この設計では、全体のメトリックは、ＲDL,kおよび／またはＲUL,kに基づいて定義され、Ｅb,tx,DLおよび／またはＥb,tx,ULが所定のしきい値を上回る場合、ゼロに設定される。
【００６３】
１つまたは複数の制御チャネルが、ダウンリンクおよびアップリンク上のデータ伝送をサポートするために使用される。サービング基地局は、すべての制御チャネルについて所望の信頼性を達成することができるように選択され、これは信頼性のあるデータサービスを保証する。制御チャネルのパフォーマンスは受信信号品質によって決定され、受信信号品質はＳＩＮＲ、ＳＮＲ、Ｃ／Ｉ、ＣｏＴなどによって与えられる。各制御チャネルの受信信号品質が測定され、制御チャネルが十分に信頼性のあるものであるかどうかを決定するために、適切なしきい値に対して比較される。制御チャネルの信頼性はまた、誤り率および／または他のメトリックに基づいて決定される。制御チャネルが十分に信頼性のあるものであると見なされる場合、基地局は選択される。一般に、制御チャネル信頼性は、受信信号品質（たとえば、ＳＩＮＲ、ＳＮＲ、Ｃ／Ｉ、ＣｏＴなど）、制御チャネルパフォーマンス（たとえば、メッセージ誤り率、消去率など）、および／または、他の情報に基づいて、確認される。制御チャネルは、その受信信号品質が所定の品質しきい値を上回る、その誤り率または消去率が所定のしきい値を下回る、などの場合、制御チャネル信頼性を満たすと見なされる。
【００６４】
サービング基地局はまた、端末および／またはネットワークの有用性メトリックに基づいて選択される。ある設計では、ネットワークの有用性メトリックは、以下のうち１つに従って、各候補基地局について定義される。
【数１０】
2011511558.tif 000012
【００６５】
ただし、Ｔl,kは、基地局ｋによってサービスされる端末ｌのスループットであり、
Ｌは、基地局ｋによってサービスされる端末の数であり、
Ｕkは、基地局ｋについてのネットワークの有用性メトリックである。
【００６６】
式（１１）は、基地局ｋによってサービスされるすべての端末のスループットの算術平均を提供し、全体のスループットを最大にするために使用される。式（１２）は、端末のスループットの対数平均を提供し、比例公平性を達成するために使用される。式（１３）は、端末のスループットの調和平均を提供し、等しいサービスグレード（ＧｏＳ）を達成するために使用される。基地局のセットについての平均スループットは、これらの基地局についての合計のスループットまたは全体の有用性メトリックＵを得るために、合計される。サービング基地局は、異なる候補基地局の有用性メトリックＵk、全体の有用性メトリックＵ、および／または、送信エネルギーメトリックＥb,tx,DLおよび／またはＥb,tx,UL、有効ジオメトリＧDL,eff,kおよび／またはＧUL,eff,k、予測データレートＲDL,kおよび／またはＲUL,k、その他など、他のメトリックに基づいて選択される。
【００６７】
一般に、サーバ選択は、端末１１０、または、基地局もしくはネットワークコントローラなど、ネットワークエンティティによって行われる。基地局は、端末１１０がメトリックを計算できるようにするために、（たとえば、ブロードキャストおよび／またはユニキャストチャネルを介して）情報を送信する。端末１１０は次いで、計算されたメトリック、および、使用可能な情報に基づいて、サービング基地局を選択する。代替として、端末１１０は、計算されたメトリック、および／または、他の情報を、ネットワークエンティティに送信する。ネットワークエンティティは次いで、使用可能な情報に基づいて、端末１１０のためのサービング基地局を選択する。サービング基地局は、ハンドオーバメッセージまたはある他のメッセージを介して、端末１１０に通信される。
【００６８】
基地局は、サーバ選択のために使用される場合のある、様々なタイプの情報を送信する。ある設計では、基地局は、たとえば、ブロードキャストチャネルを介して、以下のうち１つまたは複数を送信する。
【００６９】
・ダウンリンクおよびアップリンク上の使用可能なＨＡＲＱインタレースの数および／またはインデックス、
・端末に割り振られる場合のあるリソースの割合Ｆk、
・異なるＨＡＲＱインタレースおよび／または異なる周波数サブバンド、たとえば、実際の値および目標値についての、干渉レベルＩm,k、
・ダウンリンクおよびアップリンク上の中央または末尾データレート（median or tail data rates）、
・ＱｏＳ保証、たとえば、５０ｍｓの待ち時間を達成することができるかどうか、
・バックホール帯域幅Ｂk、
・実効等方放射電力（ＥＩＲＰ：Effective isotropic radiated power）、
・最大電力増幅器（ＰＡ）出力電力、
・受信機雑音指数（Receiver noise figure）、および
・基地局がバッテリ電源式である場合、基地局のレベルのバッテリ電力。
【００７０】
上記のように、メトリックを計算するために、Ｍ、Ｆk、Ｉm,kおよびＢkなど、いくつかのパラメータが使用される。ＱｏＳ保証、中央または末尾データレート、その他などの他のパラメータは、制約として使用される。ＥＩＲＰおよび最大ＰＡ出力電力は、パスロスを推定するために使用され、パスロスは、次いでメトリックを計算するために使用される。雑音指数は、ＩｏＴと共に、合計の干渉電力を計算するために使用される。基地局がバッテリ電源式である場合、基地局のバッテリ電力レベルは、基地局に接続する端末についてのハンドオフの決定を行うために、使用される。
【００７１】
基地局はまた、たとえば、ユニキャストチャネルを介して、以下のうち１つまたは複数を送信する。
【００７２】
・期待されるユーザ体験、
・たとえばパスロス差に関する、別の基地局へのハンドオフ境界の偏り、および
・端末が基地局へ渡されること、および、基地局から外へ渡されることによる、ネットワークの有用性の期待される変化。
【００７３】
端末１１０は、サーバ選択を行うネットワークエンティティに、（たとえば、拡張パイロットレポートにおいて）以下のうち１つまたは複数を送信する。
【００７４】
・候補および干渉基地局のパイロット強度、
・候補および干渉基地局に対するパスロス、
・計算されたメトリック、たとえば、各候補基地局についての、送信エネルギーメトリック、公称ジオメトリ、有効ジオメトリ、および／または、予測データレート、
・他の基地局から受信されたブロードキャスト情報、および
・端末１１０の現在のパフォーマンス、たとえば、データレート、待ち時間、その他。
【００７５】
最初のアクセスでは、端末１１０は、候補基地局からのブロードキャスト情報、および、端末１１０によって取得された測定値に基づいて、サーバ選択を行う。端末１１０はまた、最初の接続を確立するために、最良のダウンリンクＳＩＮＲも使用する。ハンドオフでは、端末１１０は、候補基地局に拡張パイロットレポートを送信し、サーバ選択のために使用されるユニキャストおよび／またはブロードキャスト情報を受信する。
【００７６】
一般に、パイロット測定は、基地局および中継局によって送信された、いずれかのタイプのパイロットに基づいて行われる。たとえば、基地局によって送信され、同期、取得などのために端末によって使用される、標準パイロット基づいて、測定が行われる。所与の時間および／または周波数リソースにおいて、より少ない基地局および／または中継局により、低時間および／または周波数再利用で送信されるパイロットである、低再利用パイロットまたはプリアンブル（ＬＲＰ：low reuse pilots or preambles）に基づいて、測定が行われる。低再利用パイロットは、より少ない干渉を観測し、よって、より正確なパイロット測定の結果となる。
【００７７】
図５は、端末のためのサービング基地局を選択するための処理５００の設計を示す。処理５００は、端末またはネットワークエンティティ、たとえば、基地局またはネットワークコントローラによって行われる。
【００７８】
端末に対し複数の候補基地局が識別され、各候補基地局は、端末のためのサービング基地局としての選択のための候補である（ブロック５１２）。複数の候補基地局は、オープンアクセス通信システムに属し、サービスサブスクリプションを有するいかなる端末によってもアクセス可能である。複数の候補基地局は、異なる送信電力レベルを有する基地局を含み、および／または、干渉抑圧をサポートする。いずれの場合も、複数の候補基地局のうち１つが、端末のためのサービング基地局として選択される（ブロック５１４）。選択された候補基地局は、複数の候補基地局の中の最高のＳＩＮＲより低いＳＩＮＲを有する。最高のＳＩＮＲと、選択された候補基地局のより低いＳＩＮＲの間の差は、いかなる値であってもよく、たとえば、少なくとも５デシベル（ｄＢ）など、ハンドオーバのために通常使用されるヒステリシスより大きい。選択された候補基地局は、複数の候補基地局の中の最高の送信電力レベルより低い送信電力レベルを持ち得る。
【００７９】
ある設計では、サービング基地局は、各候補基地局についての少なくとも１つのメトリックに基づいて選択される。少なくとも１つのメトリックは、パスロス、有効送信電力、有効ジオメトリ、予測データレートなどを含む。サービング基地局は、さらに、各候補基地局についての有用性メトリックに基づいて選択される。有用性メトリックは、たとえば、式（１１）、（１２）または（１３）に示すように、候補基地局によってサービスされる端末のスループットに基づいて決定される。サービング基地局は、さらに、制御チャネル信頼性および／または他のメトリックに基づいて選択される。
【００８０】
ブロック５１４のある設計では、たとえば、式（２）に示すように、送信エネルギーメトリック（たとえば、Ｅb,tx,DLまたはＥb,tx,UL）は、候補基地局についてのパスロスおよび場合によっては干渉レベルに基づいて、各候補基地局について決定される。最低の送信エネルギーメトリックまたは最低のパスロスを有する候補基地局は、サービング基地局として選択される。
【００８１】
ブロック５１４の別の設計では、有効ジオメトリメトリック（たとえば、ＧDL,eff,kまたはＧUL,eff,k）は、候補基地局についての受信信号品質に基づいて、各候補基地局について決定される。受信信号品質は、たとえば式（４）に示すようにＣ／Ｉに基づいて、たとえば式（５）に示すようにＣｏＴおよびＩｏＴに基づいて、または、他のパラメータに基づいて決定される。最大の有効ジオメトリメトリックを有する候補基地局は、サービング基地局として選択される。
【００８２】
ブロック５１４のさらにもう１つの設計では、予測データレートメトリック（たとえば、ＲDL,kまたはＲUL,k）は、候補基地局についての有効ジオメトリおよび／または他のパラメータに基づいて、各候補基地局について決定される。最大の予測データレートメトリックを有する候補基地局は、サービング基地局として選択される。
【００８３】
ある設計において、複数のリソースセットに対する各候補基地局の容量は、当該複数のリソースセットについての受信信号品質に基づいて決定される。複数のリソースセットは、複数のＨＡＲＱインスタンス、複数の周波数サブバンド、複数の時間間隔などに対応する。有効ジオメトリまたは予測データレートは、複数のリソースセットについての容量に基づいて、各候補基地局について決定される。
【００８４】
複数の候補基地局は、中継局を備える。メトリックは、たとえば、式（１０）に示すように、（ｉ）端末と中継局の間の第１のリンクについての第１のパラメータ値、および、（ｉｉ）中継局と基地局の間の第２のリンクについての第２のパラメータ値に基づいて、中継局について決定される。
【００８５】
ある設計では、サーバ選択は端末によって行われる。端末は、端末によって行われた測定、および、少なくとも１つの候補基地局から受信された情報に基づいて、各候補基地局についての少なくとも１つのメトリックを決定する。端末は、各候補基地局についての少なくとも１つのメトリックに基づいて、サービング基地局を選択する。別の設計では、サーバ選択は、ネットワークエンティティたとえば指定された基地局によって行われる。端末は、サーバ選択を支援するために、ネットワークエンティティに、測定値、計算されたメトリック、候補基地局のアイデンティティ、および／または、他の情報を送信する。サービング基地局を示すハンドオーバメッセージが、たとえば、前の、または新しいサービング基地局を介して、端末に送信される。
【００８６】
各候補基地局についての少なくとも１つのメトリックは、ダウンリンクについての第１のメトリック（たとえば、Ｅb,tx,DL、ＧDL,eff,kまたはＲDL,k）、および、アップリンクについての第２のメトリック（たとえば、Ｅb,tx,UL、ＧUL,eff,kまたはＲUL,k）を含む。ダウンリンクについての最良の第１のメトリックを有する第１の候補基地局が、複数の候補基地局の中から識別される。アップリンクについての最良の第２のメトリックを有する第２の候補基地局もまた、識別される。ある設計では、第１および第２の候補基地局は、それぞれ、ダウンリンクおよびアップリンクについてのサービング基地局として選択される。別の設計では、単一のサービング基地局が、ダウンリンクおよびアップリンクの両方について選択される。第１または第２の候補基地局は、第１および第２のメトリックに基づいて、サービング基地局として選択される。たとえば、最良のダウンリンクと、最良のアップリンクのある範囲内にあるアップリンクとを有する候補基地局が選択される。代替として、最良のアップリンクと、最良のダウンリンクのある範囲内にあるダウンリンクとを有する候補基地局が選択される。
【００８７】
ある設計では、端末は、ＳＩＮＲを向上させるために、干渉抑圧を使用して選択された基地局と通信する。干渉抑圧は、端末と選択された基地局との間などのデータ伝送のために、端末によって、システムアクセスのために使用される。干渉抑圧は、ある特定のリソースにおける干渉を低減するように干渉基地局および／または干渉端末に要求するために、干渉抑圧要求メッセージを当該干渉基地局および／または干渉端末に送信することによって達成される。これらのメッセージは、サービング基地局から干渉端末へ、または、端末から干渉基地局へ、無線で送信される。これらのメッセージはまた、複数の基地局の間で、バックホールを介して送信される。干渉基地局または干渉端末は、（ｉ）これらのリソース上で伝送を送信しないこと、（ｉｉ）より低い送信電力で、これらのリソース上で伝送を送信すること、（ｉｉｉ）端末から離れるように電力を導くために、ビームステアリングにより、これらのリソース上で伝送を送信すること、および／または、（ｉｖ）リソースにおける干渉を低減するために、他の方法で伝送を送信することによって、特定のリソースにおける干渉を低減する。干渉抑圧は、選択された基地局が低いＳＩＮＲを有するとき、特に適用可能である。
【００８８】
図６は、端末のためのサービング基地局を選択するための装置６００の設計を示す。装置６００は、端末のための複数の候補基地局を識別するモジュール６１２（各候補基地局は、端末のためのサービング基地局としての選択のための候補であり、複数の候補基地局は、異なる送信電力レベルを有する少なくとも２つの候補基地局を含む）と、端末のためのサービング基地局として、複数の候補基地局のうち１つを選択するモジュール６１４（選択された候補基地局は、複数の候補基地局の中の最高のＳＩＮＲより低いＳＩＮＲを有する）とを含む。
【００８９】
図７は、異なるメトリックに基づいて、端末のためのサービング基地局を選択するための処理７００の設計を示す。端末のための複数の候補基地局が識別され、各候補基地局は、端末のためのサービング基地局としての選択のための候補である（ブロック７１２）。第１のメトリックが各候補基地局について決定され、候補基地局がサービング基地局として選択可能であるかどうかを決定するための制約として使用される（ブロック７１４）。第１のメトリックは、制御チャネル信頼性などについてのものである。第２のメトリックもまた、各候補基地局について決定され、サービング基地局としての選択のために最も適切な候補基地局を識別するための変数として使用される（ブロック７１６）。第２のメトリックは、パスロス、有効送信電力、有効ジオメトリ、予測データレート、および／または、他のパラメータに基づいて決定される。複数の候補基地局のうち１つは、各候補基地局についての第１および第２のメトリックに基づいて、端末のためのサービング基地局として選択される（ブロック７１８）。選択された候補基地局は、複数の候補基地局の中の最高のＳＩＮＲより低いＳＩＮＲを有する。
【００９０】
図８は、端末のためのサービング基地局を選択するための装置８００の設計を示す。装置８００は、端末のための複数の候補基地局を識別するモジュール８１２（各候補基地局は、端末のためのサービング基地局としての選択のための候補である）と、各候補基地局についての第１のメトリックを決定するモジュール８１４（第１のメトリックは、候補基地局がサービング基地局として選択可能であるかどうかを決定するための制約として使用される）と、各候補基地局についての第２のメトリックを決定するモジュール８１６（第２のメトリックは、サービング基地局としての選択のために最も適切な候補基地局を識別するための変数として使用される）と、各候補基地局についての第１および第２のメトリックに基づいて、複数の候補基地局のうち１つを端末のためのサービング基地局として選択するモジュール８１８（選択された候補基地局は、複数の候補基地局の中の最高のＳＩＮＲより低いＳＩＮＲを有する）とを含む。
【００９１】
図６および図８のモジュールは、プロセッサ、電子デバイス、ハードウェアデバイス、電子装置コンポーネント、論理回路、メモリなど、または、それらのいかなる組み合わせをも含む。
【００９２】
図９は、端末１１０および基地局１２０の設計のブロック図を示す。この設計では、基地局１２０はＴ個のアンテナ９３４ａから９３４ｔを備え、端末１１０はＲ個のアンテナ９５２ａから９５２ｒを備える。ただし、一般に、Ｔ≧１かつＲ≧１である。
【００９３】
基地局１２０において、送信プロセッサ９２０は、データ送信装置９１２から、１つまたは複数の端末についてのデータを受信し、１つまたは複数の変調および符号化方式に基づいて、各端末についてのデータを処理（たとえば、符号化および変調）し、すべての端末についてのデータシンボルを提供する。送信プロセッサ９２０はまた、コントローラ／プロセッサ９４０から、ブロードキャストおよび制御情報（たとえば、サーバ選択のために使用される情報）を受信し、この情報を処理し、オーバヘッドシンボルを提供する。送信（ＴＸ）多入力多出力（ＭＩＭＯ）プロセッサ９３０は、データシンボル、オーバヘッドシンボル、およびパイロットシンボルを多重化する。プロセッサ９３０は、多重化されたシンボルを処理（たとえば、プリコード）し、Ｔ個の出力シンボルストリームをＴ個の変調器（ＭＯＤ）９３２ａから９３２ｔに提供する。各変調器９３２は、各出力シンボルストリームを（たとえば、ＯＦＤＭ、ＣＤＭＡなどのために）処理して、出力サンプルストリームを得る。各変調器９３２は、出力サンプルストリームをさらに処理（たとえば、アナログへの変換、増幅、フィルタリング、およびアップコンバート）して、ダウンリンク信号を得る。変調器９３２ａ〜９３２ｔからのＴ個のダウンリンク信号は、それぞれ、Ｔ個のアンテナ９３４ａ〜９３４ｔを介して送信される。
【００９４】
端末１１０において、Ｒ個のアンテナ９５２ａ〜９５２ｒは、基地局１２０からのダウンリンク信号を受信し、受信信号を復調器（ＤＥＭＯＤ）９５４ａ〜９５４ｒへそれぞれ提供する。各復調器９５４は、各受信信号を調整（たとえば、フィルタリング、増幅、ダウンコンバート、およびディジタル化）して、受信サンプルを得、さらに該受信サンプルを（たとえば、ＯＦＤＭ、ＣＤＭＡなどのために）処理して、受信シンボルを得る。ＭＩＭＯ検出器９６０は、Ｒ個の全ての復調器９５４ａ〜９５４ｒからの受信シンボルにＭＩＭＯ検出を行い（適用できる場合）、検出シンボルを提供する。受信プロセッサ９７０は、検出シンボルを処理（たとえば、復調および復号）し、端末１１０についての復号されたデータをデータシンク９７２に提供し、復号されたブロードキャストおよび制御情報をコントローラ／プロセッサ９９０に提供する。チャネルプロセッサ９９４は、サーバ選択のために使用されるパラメータ（たとえば、チャネル利得ｈ、パスロスｐ、信号電力Ｃ、干渉Ｉなど）について、測定を行う。
【００９５】
アップリンクでは、端末１１０において、データソース９７８からのデータおよびコントローラ／プロセッサ９９０からの制御情報（たとえば、サーバ選択のために使用されるかあるいは選択されたサービング基地局を識別する情報）は、送信プロセッサ９８０によって処理され、ＴＸ  ＭＩＭＯプロセッサ９８２によってプリコードされ（適用できる場合）、変調器９５４ａ〜９５４ｒによって調整され、アンテナ９５２ａ〜９５２ｒを介して送信される。基地局１２０において、端末１１０からのアップリンク信号は、アンテナ９３４によって受信され、復調器９３２によって調整され、ＭＩＭＯ検出器９３６によって検出され、端末１１０によって送信されたデータおよび制御情報を得るために、受信プロセッサ９３８によって処理される。
【００９６】
コントローラ／プロセッサ９４０および９９０は、それぞれ、基地局１２０および端末１１０において動作を指図する。基地局１２０におけるコントローラ／プロセッサ９４０、または、端末１１０におけるコントローラ／プロセッサ９９０は、図５の処理５００、図７の処理７００、および／または、ここに記載された技術のための他の処理を実装または指図する。メモリ９４２および９９２は、それぞれ、基地局１２０および端末１１０のためのデータおよびプログラムコードを記憶する。スケジューラ９４４は、ダウンリンクおよび／またはアップリンク上での伝送について、端末をスケジューリングし、スケジューリングされた端末にリソースを割り当てる。通信（Ｃｏｍｍ）ユニット９４６は、バックホールを介して、他の基地局およびネットワークコントローラ１５０との通信をサポートする。
【００９７】
情報および信号は、様々な異なる技術および技法のいずれかを使用して表現される場合があることは、当業者には理解されよう。たとえば、上記全体を通じて参照される場合のあるデータ、命令、コマンド、情報、信号、ビット、シンボルおよびチップは、電圧、電流、電磁波、磁場もしくは磁性粒子、光場もしくは光学粒子、または、それらのいかなる組み合わせによっても表現され得る。
【００９８】
この開示に関連して記載された様々な例示的論理ブロック、モジュール、回路、およびアルゴリズムステップは、電子ハードウェア、コンピュータソフトウェア、または、両方の組み合わせとして実装される場合があることは、当業者にはさらに理解されよう。ハードウェアおよびソフトウェアのこの互換性を明確に例示するため、様々な例示的コンポーネント、ブロック、モジュール、回路およびステップが、一般にそれらの機能性に関して上述されている。このような機能性がハードウェアとして実装されるか、ソフトウェアとして実装されるかは、全体のシステムに課された特定の応用および設計制約によって決まる。当業者は、記載された機能性を、各特定の応用のために様々な方法で実装してもよいが、このような実装の決定は、本開示の範囲からの逸脱を引き起こすものとして解釈されるべきではない。
【００９９】
この開示に関連して記載された様々な例示的論理ブロック、モジュールおよび回路は、本明細書に記載された機能を行うように設計された汎用プロセッサ、ディジタル信号プロセッサ（ＤＳＰ）、特定用途向け集積回路（ＡＳＩＣ）、フィールドプログラマブルゲートアレー（ＦＰＧＡ）、または、他のプログラマブルロジックデバイス、ディスクリートゲートもしくはトランジスタロジック、ディスクリートハードウェアコンポーネント、または、それらのいかなる組み合わせによって実装または行われてもよい。汎用プロセッサは、マイクロプロセッサである場合があるが、別法として、プロセッサは、いかなる従来のプロセッサ、コントローラ、マイクロコントローラ、または、ステートマシンであってもよい。プロセッサはまた、たとえば、ＤＳＰおよびマイクロプロセッサの組み合わせ、複数のマイクロプロセッサ、ＤＳＰコアを伴う１つまたは複数のマイクロプロセッサ、または、他のいかなるこのような構成など、計算デバイスの組み合わせとして実装されてもよい。
【０１００】
この開示に関連して記載された方法またはアルゴリズムのステップは、ハードウェアにおいて直接、プロセッサによって実行されるソフトウェアモジュールにおいて、または、これら２つの組み合わせにおいて実施されてもよい。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、または、当技術分野で知られている他のいかなる形式の記憶媒体内に存在してもよい。例示的記憶媒体は、プロセッサが記憶媒体から情報を読み取り、記憶媒体に情報を書き込むことができるように、プロセッサに結合される。別法として、記憶媒体は、プロセッサに一体化される場合がある。プロセッサおよび記憶媒体は、ＡＳＩＣ内に存在する場合がある。ＡＳＩＣは、ユーザ端末内に存在する場合がある。別法として、プロセッサおよび記憶媒体は、ユーザ端末内にディスクリートコンポーネントとして存在する場合がある。
【０１０１】
１つまたは複数の例示的設計では、記載された機能は、ハードウェア、ソフトウェア、ファームウェア、または、それらのいかなる組み合わせにおいて実装されてもよい。ソフトウェアにおいて実装される場合、これらの機能は、コンピュータ可読媒体上の１つまたは複数の命令またはコードとして格納または伝送されてもよい。コンピュータ可読媒体には、ある場所から別の場所へのコンピュータプログラムの転送を容易にするいかなる媒体もが含まれる、コンピュータ記憶媒体および通信媒体が共に含まれる。記憶媒体は、汎用または専用コンピュータによってアクセスすることができる、いかなる使用可能な媒体であってもよい。例として、限定ではなく、このようなコンピュータ可読媒体は、ＲＡＭ、ＲＯＭ、ＥＥＰＲＯＭ、ＣＤ−ＲＯＭもしくは他の光ディスクストレージ、磁気ディスクストレージもしくは他の磁気記憶装置、または、命令もしくはデータ構造の形式で所望のプログラムコード手段を搬送または格納するために使用することができ、かつ、汎用もしくは専用コンピュータ、または、汎用もしくは専用プロセッサによってアクセスすることができる、他のいかなる媒体をも備えることができる。また、いかなる接続も、適切にコンピュータ可読媒体と呼ばれる。たとえば、同軸ケーブル、光ファイバケーブル、ツイストペア、ディジタル加入者線（ＤＳＬ）、または、赤外線、無線およびマイクロ波など、無線技術を使用して、ウェブサイト、サーバ、または他のリモートソースから、ソフトウェアが伝送される場合、同軸ケーブル、光ファイバケーブル、ツイストペア、ＤＳＬ、または、赤外線、無線およびマイクロ波など、無線技術は、媒体の定義に含まれる。本明細書で使用されるとき、ディスク（disk）およびディスク（disc）には、コンパクトディスク（ＣＤ）、レーザディスク、光ディスク、ディジタル多用途ディスク（ＤＶＤ）、フロッピー（登録商標）ディスク、および、ブルーレイディスクが含まれ、ただし、ディスク（ｄｉｓｋ）は通常、磁気的にデータを再生するが、ディスク（ｄｉｓｃ）は、レーザにより光学的にデータを再生する。上記の組み合わせもまた、コンピュータ可読媒体の範囲内に含まれるべきである。
【０１０２】
本開示のこれまでの記載は、当業者が本開示を実施または使用できるようにするために提供される。本開示に対する様々な修正は、当業者には容易に明らかとなり、本明細書で定義された一般的原理は、本開示の精神または範囲から逸脱することなく、他の変形形態に適用されてもよい。よって、本開示は、本明細書に記載された実施例および設計に限定されるように意図されないが、本明細書で開示されたこれらの原理および新規の特徴と一致する最も広い範囲が与えられるべきである。
【図１】
2011511558.tif 000013
【図２】
2011511558.tif 000014
【図３】
2011511558.tif 000015
【図４】
2011511558.tif 000016
【図５】
2011511558.tif 000017
【図６】
2011511558.tif 000018
【図７】
2011511558.tif 000019
【図８】
2011511558.tif 000020
【図９】
2011511558.tif 000021
【国際調査報告】
2011511558.tif 000022
2011511558.tif 000023
2011511558.tif 000024